(57)【要約】【課題】多くの無線方式に対応する必要性と移動受信を想定したアダプティブ受信技術の必要性とがある車載無線機１において、無線信号の伝送路が増加せず配線コストを低減可能な無線機及び光多重伝送路の割当制御方法を提供する。【解決手段】ＡＤＣ１４ａ等はサンプリング速度及び／又は量子化数を無線信号制御部３０から調節可能であり、制御部３６は復調器３４ａ等群により復調された各無線方式の信号の受信性能に基づきＡＤＣ１４ａ等側へサンプリング速度及び／又は量子化数を制御する制御情報ｓ／ｑ−ｃを送信し各無線方式間における光多重伝送路２４のリソース割当制御を行なう。制御情報ｓ／ｑ−ｃは復調器３４ａ等群により復調された信号の受信性能が高い無線方式の信号に関してはサンプリング速度の低減及び／又は量子化数の低減を指示し、逆に受信性能が低い無線方式の信号に関してはサンプリング速度の増加及び／又は量子化数の増加を指示する。【選択図】図１
2008252489.tif 000002
【特許請求の範囲】
【請求項１】
複数の無線処理部と該無線処理部を制御する無線信号制御部とを光多重伝送部により接続した無線機であって、
前記無線処理部は、
受信した無線信号の無線処理を行う無線フロントエンド部から出力されたアナログ信号のサンプリング、量子化及び符号化を行ってディジタル信号として出力するＡ／Ｄコンバータであって、サンプリング速度及び／又は量子化数を外部から調節可能なものを備え、
前記光多重伝送部は、
複数の無線処理部のＡ／Ｄコンバータから送られた複数のディジタル信号の光多重化及び光変調を行う光多重化部と、
前記光多重化部から出力された光多重信号を伝送する光多重伝送路と、
前記光多重伝送路により伝送された光多重信号の光復調を行う光復調部とを備え、
前記無線信号制御部は、
前記光復調部により光復調された信号を分離する分離部と、
前記分離部により分離された各信号を無線方式に応じて復調する複数の復調器群と、
前記復調器群により復調された各無線方式の信号の受信性能に基づき、前記Ａ／Ｄコンバータ側へサンプリング速度及び／又は量子化数を制御する制御情報を送信することにより、各無線方式間における前記光多重伝送路の割当制御を行なう制御部とを備えたことを特徴とする無線機。
【請求項２】
請求項１記載の無線機において、前記制御情報は、前記復調器群により復調された信号の受信性能が高い無線方式の信号に関しては、サンプリング速度の低減及び／又は量子化数の低減を指示し、前記復調器群により復調された信号の受信性能が低い無線方式の信号に関しては、サンプリング速度の増加及び／又は量子化数の増加を指示する情報であることを特徴とする無線機。
【請求項３】
請求項１又は２記載の無線機において、前記無線信号制御部としてソフトウェア無線機を用いたことを特徴とする無線機。
【請求項４】
複数の無線処理部と該無線処理部を制御する無線信号制御部とを光多重伝送部により接続した無線機における光多重伝送路の割当制御方法であって、
前記無線処理部の無線フロントエンド部が、受信した無線信号の無線処理を行ってアナログ信号を出力する無線フロントエンドステップと、
前記無線処理部のサンプリング速度及び／又は量子化数を外部から調節可能なＡ／Ｄコンバータが、前記無線フロントエンドステップで出力されたアナログ信号のサンプリング、量子化及び符号化を行ってディジタル信号として出力するＡ／Ｄコンバートステップと、
前記光多重伝送部の光多重化部が、前記Ａ／Ｄコンバートステップで複数の無線処理部のＡ／Ｄコンバータから送られた複数のディジタル信号の光多重化及び光変調を行った結果の光多重信号を光多重伝送路へ伝送する光多重化伝送ステップと、
前記光多重伝送部の光復調部が、前記光多重化伝送ステップで伝送された光多重信号の光復調を行う光復調ステップと、
前記無線信号制御部の分離部が、前記光復調ステップで光復調された信号を分離する分離ステップと、
前記無線信号制御部の復調器群が、前記分離ステップで分離された各信号を無線方式に応じて復調する復調ステップと、
前記無線信号制御部の制御部が、前記復調ステップで復調された各無線方式の信号の受信性能に基づき、前記Ａ／Ｄコンバータ側へサンプリング速度及び／又は量子化数を制御する制御情報を送信することにより、各無線方式間における前記光多重伝送路の割当制御を行なう割当制御ステップとを備えたことを特徴とする光多重伝送路の割当制御方法。
【請求項５】
請求項４記載の光多重伝送路の割当制御方法において、前記制御情報は、前記復調器群により復調された信号の受信性能が高い無線方式の信号に関しては、サンプリング速度の低減及び／又は量子化数の低減を指示し、前記復調器群により復調された信号の受信性能が低い無線方式の信号に関しては、サンプリング速度の増加及び／又は量子化数の増加を指示する情報であることを特徴とする光多重伝送路の割当制御方法。
【請求項６】
請求項４又は５記載の光多重伝送路の割当制御方法において、前記無線信号制御部としてソフトウェア無線機を用いたことを特徴とする光多重伝送路の割当制御方法。
【発明の詳細な説明】
【技術分野】
【０００１】
本発明は、複数の無線処理部と当該無線処理部を制御する無線信号制御部とを光多重伝送部により接続した無線機および当該無線機における光多重伝送路の割当制御方法に関する。
【背景技術】
【０００２】
従来、無線機のアンテナと無線機本体とを結ぶケーブル伝送路に関し、伝送に伴う信号の劣化を防ぐため種々の開発、改良等が行われている。特に、車載無線機ではアンテナ無線(ＲＦ)信号または中間周波数（ＩＦ）アナログ信号はケーブルを経由して車載無線機まで伝送されており、ケーブル伝送時の品質劣化に伴う受信性能低下を防ぐことが重要である。このため、従来、高性能な配線用ケーブルを多数用いていたが、コストアップの要因となっていた。
【０００３】
上述のコストアップの問題を解決するために、アンテナＲＦ信号またはＩＦアナログ信号をディジタル化して伝送するディジタル伝送システムが開発されている。このようなディジタル伝送システムでは、アンテナＲＦ信号またはアンテナＲＦ信号をＲＦフロントエンドでＩＦ化したＩＦアナログ信号をＡ／Ｄ変換してディジタル化した信号を伝送している。ディジタル伝送システムにおいては伝送時の信号劣化の問題が生じないため、従来のアナログ信号の伝送方式に比べて、高い受信品質を実現可能である。特許文献１には、アンテナと無線機本体との無線信号の送受信に伴う信号の劣化を防ぐことを可能にするため、アンテナが接続された無線ユニットと変復調処理を行う信号処理本体ユニットとをディジタル化された信号でやりとりするソフトウェア無線機の構成について記載されている。
【０００４】
車載無線機用に利用される無線方式の内、放送受信に関連したアンテナは自動車後方に設置されることが多い。一方、車載無線機は自動車中央または前方に配置させることが多いため、両者を結ぶ無線信号の伝送路が必要である。車載無線機には、ＡＭ／ＦＭラジオを始めアナログテレビジョンまたは地上波ディジタルテレビジョン等の多くの無線方式に対応する必要があるだけでなく、移動受信を想定した場合には複数アンテナによる受信信号の合成によるアダプティブ受信技術が必要となる。このため、膨大な情報量の伝送が必要であり、無線信号の伝送路（伝送本数）は増加する傾向があった。従って、上述したディジタル伝送システムを用いて複数の無線処理を実行する場合であっても、伝送すべきディジタル信号の情報量は膨大となり、容量が飽和する虞があるという問題があった。例えば、量子化数が１４ｂｉｔでサンプリング速度が３２ＭＨｚの場合、伝送すべきディジタル信号の情報量は４４８Ｍｂｐｓになる。
【０００５】
【特許文献１】特開２００４−１５３６６１号公報
【発明の開示】
【発明が解決しようとする課題】
【０００６】
上述のように、高い受信品質を実現するためディジタル伝送システムを用いた場合であっても、伝送すべきディジタル信号の情報量が膨大となると容量が飽和する虞があるという問題があった。特に、車載無線機には、多くの無線方式に対応する必要性と移動受信を想定したアダプティブ受信技術の必要性があるため膨大な情報量の伝送が必要であり、この結果、無線信号の伝送路（伝送本数）が増加し、配線コストが増大するという問題があった。
【０００７】
そこで、本発明の目的は、上記問題を解決するためになされたものであり、高い受信品質を実現するためディジタル伝送システムを用いた場合、特に、多くの無線方式に対応する必要性と移動受信を想定したアダプティブ受信技術の必要性とがある車載無線機においてディジタル伝送システムを用いた場合、無線信号の伝送路（伝送本数）が増加せず、配線コストを低減させることが可能な無線機および光多重伝送路の割当制御方法を提供することにある。
【課題を解決するための手段】
【０００８】
この発明の無線機は、複数の無線処理部と該無線処理部を制御する無線信号制御部とを光多重伝送部により接続した無線機であって、前記無線処理部は、受信した無線信号の無線処理を行う無線フロントエンド部から出力されたアナログ信号のサンプリング、量子化及び符号化を行ってディジタル信号として出力するＡ／Ｄコンバータであって、サンプリング速度及び／又は量子化数を外部から調節可能なものを備え、前記光多重伝送部は、複数の無線処理部のＡ／Ｄコンバータから送られた複数のディジタル信号の光多重化及び光変調を行う光多重化部と、前記光多重化部から出力された光多重信号を伝送する光多重伝送路と、前記光多重伝送路により伝送された光多重信号の光復調を行う光復調部とを備え、前記無線信号制御部は、前記光復調部により光復調された信号を分離する分離部と、前記分離部により分離された各信号を無線方式に応じて復調する複数の復調器群と、前記復調器群により復調された各無線方式の信号の受信性能に基づき、前記Ａ／Ｄコンバータ側へサンプリング速度及び／又は量子化数を制御する制御情報を送信することにより、各無線方式間における前記光多重伝送路の割当制御を行なう制御部とを備えたことを特徴とする。
【０００９】
ここで、この発明の無線機において、前記制御情報は、前記復調器群により復調された信号の受信性能が高い無線方式の信号に関しては、サンプリング速度の低減及び／又は量子化数の低減を指示し、前記復調器群により復調された信号の受信性能が低い無線方式の信号に関しては、サンプリング速度の増加及び／又は量子化数の増加を指示する情報とすることができる。
【００１０】
ここで、この発明の無線機において、前記無線信号制御部としてソフトウェア無線機を用いることができる。
【００１１】
この発明の光多重伝送路の割当制御方法は、複数の無線処理部と該無線処理部を制御する無線信号制御部とを光多重伝送部により接続した無線機における光多重伝送路の割当制御方法であって、前記無線処理部の無線フロントエンド部が、受信した無線信号の無線処理を行ってアナログ信号を出力する無線フロントエンドステップと、前記無線処理部のサンプリング速度及び／又は量子化数を外部から調節可能なＡ／Ｄコンバータが、前記無線フロントエンドステップで出力されたアナログ信号のサンプリング、量子化及び符号化を行ってディジタル信号として出力するＡ／Ｄコンバートステップと、前記光多重伝送部の光多重化部が、前記Ａ／Ｄコンバートステップで複数の無線処理部のＡ／Ｄコンバータから送られた複数のディジタル信号の光多重化及び光変調を行った結果の光多重信号を光多重伝送路へ伝送する光多重化伝送ステップと、前記光多重伝送部の光復調部が、前記光多重化伝送ステップで伝送された光多重信号の光復調を行う光復調ステップと、前記無線信号制御部の分離部が、前記光復調ステップで光復調された信号を分離する分離ステップと、前記無線信号制御部の復調器群が、前記分離ステップで分離された各信号を無線方式に応じて復調する復調ステップと、前記無線信号制御部の制御部が、前記復調ステップで復調された各無線方式の信号の受信性能に基づき、前記Ａ／Ｄコンバータ側へサンプリング速度及び／又は量子化数を制御する制御情報を送信することにより、各無線方式間における前記光多重伝送路の割当制御を行なう割当制御ステップとを備えたことを特徴とする。
【００１２】
ここで、この発明の光多重伝送路の割当制御方法において、前記制御情報は、前記復調器群により復調された信号の受信性能が高い無線方式の信号に関しては、サンプリング速度の低減及び／又は量子化数の低減を指示し、前記復調器群により復調された信号の受信性能が低い無線方式の信号に関しては、サンプリング速度の増加及び／又は量子化数の増加を指示する情報とすることができる。
【００１３】
ここで、この発明の光多重伝送路の割当制御方法において、前記無線信号制御部としてソフトウェア無線機を用いることができる。
【発明の効果】
【００１４】
本発明の無線機および光多重伝送路の割当制御方法によれば、無線機は無線処理部と、無線信号制御部と、無線処理部と無線信号制御部とを接続する光多重伝送部とを備えている。無線処理部は、チューナブルアンテナにより受信した無線信号の無線処理を行う無線フロントエンド部から出力されたアナログ信号のサンプリング、量子化および符号化を行ってディジタル信号として出力するＡＤＣを備えている。ＡＤＣはサンプリング速度および／または量子化数を外部（無線信号制御部）から調節可能である。光多重伝送部は、複数の無線処理部のＡＤＣから送られた複数のディジタル信号の光多重化および光変調を行う光多重化部と、光多重化部から出力された光多重信号を伝送する光多重伝送路と、光多重伝送路により伝送された光多重信号の光復調を行う光復調部とを備えている。無線信号制御部は、光復調部により光復調された信号を分離する分離部と、分離部により分離された各信号を無線方式に応じて復調する複数の復調器群と、復調器群により復調された各無線方式の信号の受信性能に基づき、ＡＤＣ側へサンプリング速度および／または量子化数を制御する制御情報を送信することにより、各無線方式間における光多重伝送路のリソース割当制御を行なう制御部とを備えている。無線信号制御部としては、ソフトウェア無線機を用いることが好適である。
【００１５】
制御情報は、復調器群により復調された信号の受信性能（所望の受信信号Ｓ／Ｎ比）が高い無線方式の信号に関しては、サンプリング速度の低減および／または量子化数の低減を指示する情報である。これにより、ディジタル伝送での光多重伝送路の使用リソースを低減し、他の無線方式、チャネルへ光多重伝送路リソースを開放する。逆に、復調器群により復調された信号の受信性能が低い無線方式の信号に関しては、サンプリング速度の増加および／または量子化数の増加を指示する情報である。これにより、当該信号のＩＦ信号品質を上げ受信性能を高める。以上のように、使用されている無線方式の受信品質に応じて、共有される光多重伝送路を使用する複数の無線方式、チャネル間でのリソース割当制御を行う。この結果、高い受信品質を実現するためディジタル伝送システムを用いた場合、特に、多くの無線方式に対応する必要性と移動受信を想定したアダプティブ受信技術の必要性がある車載無線機においてディジタル伝送システムを用いた場合、無線信号の伝送路（伝送本数）が増加せず、配線コストを低減させることが可能な無線機および光多重伝送路の割当制御方法を提供することができるという効果がある。
【発明を実施するための最良の形態】
【００１６】
以下、各実施例について図面を参照して詳細に説明する。
【実施例１】
【００１７】
図１は、本発明の実施例１における無線機１を示す。図１において、符号５ａ、５ｂ、．．．、５ｎは複数の無線処理部（以下、「無線処理部５ａ等という。」、３０は無線処理部５ａ等を制御する無線信号制御部、２０は無線処理部５ａ等と無線信号制御部３０とを接続する光多重伝送部である。
【００１８】
図１に示されるように、無線処理部５ａ等は、チューナブルアンテナ１０ａ、１０ｂ、．．．、１０ｎ（以下、「チューナブルアンテナ１０ａ等という。」により受信した無線信号Ｒｆａ、Ｒｆｂ、．．．、Ｒｆｎ（以下、「無線信号Ｒｆａ等」という。）の無線処理を行う無線フロントエンド部１２ａ、１２ｂ、．．．、１２ｎ（以下、「無線フロントエンド部１２ａ等」という。）から出力されたアナログ信号のサンプリング、量子化および符号化を行ってディジタル信号Ｄａ、Ｄｂ、．．．、Ｄｎ（以下、「ディジタル信号Ｄａ等」という。）として出力するＡ／ＤコンバータＡＤＣ１４ａ、１４ｂ、．．．、１４ｎ（以下、「ＡＤＣ１４ａ等」という。）を備えている。ＡＤＣ１４ａ等はサンプリング速度および／または量子化数を外部（後述するように、無線信号制御部３０）から調節可能である。
【００１９】
図１に示されるように、光多重伝送部２０は、複数の無線処理部５ａ等のＡＤＣ１４ａ等から送られた複数のディジタル信号Ｄａ等の光多重化および光変調を行う光多重化部ＭＵＸ  Ｅ／Ｏ（電気／光変換：Electrical/Optical Converter）２２と、光多重化部２２から出力された光多重信号を伝送する光多重伝送路２４と、光多重伝送路２４により伝送された光多重信号の光復調を行う光復調部Ｏ／Ｅ（光／電気変換：Optical/Electrical Converter）２６とを備えている。
【００２０】
図１に示されるように、無線信号制御部３０は、光復調部２６により光復調された信号を分離する分離部ＤＥＭＵＸ３２と、分離部３２により分離された各信号を無線方式に応じて復調する複数の復調器ＭＯＤＥＭ３４ａ、３４ｂ、．．．、３４ｍ（以下、「復調器３４ａ等」という。）群と、復調器３４ａ等群により復調された各無線方式の信号の受信性能に基づき、ＡＤＣ１４ａ等側へサンプリング速度および／または量子化数を制御する制御情報ｓ／ｑ−ｃを送信することにより、各無線方式間における光多重伝送路２４のリソース割当制御を行なう制御部ＣＯＮＴＲＯＬ３６とを備えている。
【００２１】
上述の制御情報ｓ／ｑ−ｃは、復調器３４ａ等群により復調された信号の受信性能が高い無線方式の信号に関しては、サンプリング速度の低減および／または量子化数の低減を指示する情報である。上記受信性能は、例えば各無線方式の所望の受信信号Ｓ／Ｎ比も鑑みて決めればよい。これにより、ディジタル伝送での光多重伝送路２４の使用リソースを低減し、他の無線方式、チャネルへ光多重伝送路２４リソースを開放する。逆に、復調器３４ａ等群により復調された信号の受信性能が低い無線方式の信号に関しては、サンプリング速度の増加および／または量子化数の増加を指示する情報である。これにより、当該信号のＩＦ信号品質を上げ受信性能を高める。以上のように、使用されている無線方式の受信品質に応じて、共有される光多重伝送路２４を使用する複数の無線方式、チャネル間でのリソース割当制御を行う。
【００２２】
上述の無線信号制御部３０としては、ソフトウェア無線機を用いることが好適である。この場合、ソフトウェア無線機３０は分離部３２、各無線方式に対応した復調器３４ａ等群、制御部３６の各機能、サンプリング速度および／または量子化数に対応した処理プログラムをソフトウェアにより用意しておき、ソフトウェア無線機３０のＣＰＵ（不図示）が対応するソフトウェアを適応的に実行すればよい。上記ソフトウェア部分は、ソフトウェアの書換えにより回路構成を変更可能な装置であるＦＰＧＡ（Field Programmable Gate Array）で作成することが可能である。
【００２３】
図２は、本発明の実施例１における複数の無線処理部５ａ等と無線処理部５ａ等を制御する無線信号制御部３０とを光多重伝送部２０により接続した無線機１における光多重伝送路の割当制御方法の流れをフローチャートで示す。図２に示されるように、無線処理部５ａ等の無線フロントエンド部１２ａ等が、受信した無線信号ＲＦａ等の無線処理を行ってアナログ信号を出力する（無線フロントエンドステップ。ステップＳ１０）。
【００２４】
無線処理部５ａ等のサンプリング速度および／または量子化数を外部から調節可能なＡＤＣ１４ａ等が、無線フロントエンドステップ（ステップＳ１０）で出力されたアナログ信号のサンプリング、量子化および符号化を行ってディジタル信号Ｄａ等として出力する（Ａ／Ｄコンバートステップ。ステップＳ１２）。
【００２５】
光多重伝送部２０の光多重化部２２が、Ａ／Ｄコンバートステップ（ステップＳ１２）で複数の無線処理部５ａ等のＡＤＣ１４ａ等から送られた複数のディジタル信号Ｄａ等の光多重化および光変調を行った結果の光多重信号を光多重伝送路２４へ伝送する（光多重化伝送ステップ。ステップＳ１４）。
【００２６】
光多重伝送部２０の光復調部２６が、光多重化伝送ステップ（ステップＳ１４）で伝送された光多重信号の光復調を行う（光復調ステップ。ステップＳ１６）。
【００２７】
無線信号制御部３０の分離部３２が、光復調ステップ（ステップＳ１６）で光復調された信号を分離する（分離ステップ。ステップＳ１８）。
【００２８】
無線信号制御部３０の復調器３４ａ等群が、分離ステップ（ステップＳ１８）で分離された各信号を無線方式に応じて復調する（復調ステップ。ステップＳ２０）。
【００２９】
無線信号制御部３０の制御部３６が、復調ステップ（ステップＳ２０）で復調された各無線方式の信号の受信性能に基づき、ＡＤＣ１４ａ等側へサンプリング速度および／または量子化数を制御する制御情報ｓ／ｑ−ｃを送信することにより、各無線方式間における光多重伝送路２４の割当制御を行なう（割当制御ステップ。ステップＳ２２）。
【００３０】
以上より、本発明の実施例１によれば、無線機１は無線処理部５ａ等と、無線信号制御部３０と、無線処理部５ａ等と無線信号制御部３０とを接続する光多重伝送部２０とを備えている。無線処理部５ａ等は、チューナブルアンテナ１０ａ等により受信した無線信号Ｒｆａ等の無線処理を行う無線フロントエンド部１２ａ等から出力されたアナログ信号のサンプリング、量子化および符号化を行ってディジタル信号Ｄａ等として出力するＡＤＣ１４ａ等を備えている。ＡＤＣ１４ａ等はサンプリング速度および／または量子化数を外部（無線信号制御部３０）から調節可能である。光多重伝送部２０は、複数の無線処理部５ａ等のＡＤＣ１４ａ等から送られた複数のディジタル信号Ｄａ等の光多重化および光変調を行う光多重化部２２と、光多重化部２２から出力された光多重信号を伝送する光多重伝送路２４と、光多重伝送路２４により伝送された光多重信号の光復調を行う光復調部２６とを備えている。無線信号制御部３０は、光復調部２６により光復調された信号を分離する分離部３２と、分離部３２により分離された各信号を無線方式に応じて復調する複数の復調器３４ａ等と、復調器３４ａ等群により復調された各無線方式の信号の受信性能に基づき、ＡＤＣ１４ａ等側へサンプリング速度および／または量子化数を制御する制御情報ｓ／ｑ−ｃを送信することにより、各無線方式間における光多重伝送路２４のリソース割当制御を行なう制御部３６とを備えている。無線信号制御部３０としては、ソフトウェア無線機を用いることが好適である。
【００３１】
制御情報ｓ／ｑ−ｃは、復調器３４ａ等群により復調された信号の受信性能（所望の受信信号Ｓ／Ｎ比）が高い無線方式の信号に関しては、サンプリング速度の低減および／または量子化数の低減を指示する情報である。これにより、ディジタル伝送での光多重伝送路２４の使用リソースを低減し、他の無線方式、チャネルへ光多重伝送路２４リソースを開放する。逆に、復調器３４ａ等群により復調された信号の受信性能が低い無線方式の信号に関しては、サンプリング速度の増加および／または量子化数の増加を指示する情報である。これにより、当該信号のＩＦ信号品質を上げ受信性能を高める。以上のように、使用されている無線方式の受信品質に応じて、共有される光多重伝送路２４を使用する複数の無線方式、チャネル間でのリソース割当制御を行う。この結果、高い受信品質を実現するためディジタル伝送システムを用いた場合、特に、多くの無線方式に対応する必要性と移動受信を想定したアダプティブ受信技術の必要性とがある車載無線機１においてディジタル伝送システムを用いた場合、無線信号の伝送路（伝送本数）が増加せず、配線コストを低減させることが可能な無線機および光多重伝送路の割当制御方法を提供することができる。
【実施例２】
【００３２】
図３は、本発明の無線機１を搭載した自動車４０を示す。図３で図１と同じ符号を付した箇所は同じ要素を示すため説明は省略する。図３において、符号１０ｊ、１０ｊ＋１等はチューナブルアンテナ１０ａ等と同様のアンテナである。実施例１により、使用されている無線方式の受信品質に応じて、共有される光多重伝送路２４を使用する複数の無線方式、チャネル間でのリソース割当制御を行うことが可能となる。この結果、実施例２における自動車４０において、すなわち多くの無線方式に対応する必要性と移動受信を想定したアダプティブ受信技術の必要性とがある自動車４０において、車載無線機１にディジタル伝送システムを用いた場合、無線信号の伝送路（伝送本数）が増加せず、配線コストを低減させることが可能な無線機および光多重伝送路の割当制御方法を提供することができる。実施例１と同様に、無線信号制御部３０としてソフトウェア無線機を用いることにより、サンプリング速度および／または量子化数に対応した処理プログラムをソフトウェアにより用意しておき、ソフトウェア無線機３０のＣＰＵ（不図示）が対応するソフトウェアを適応的に実行することができる。
【産業上の利用可能性】
【００３３】
本発明の活用例として、特に自動車等の車両における車載無線機への適用が挙げられる。
【図面の簡単な説明】
【００３４】
【図１】本発明の実施例１における無線機１を示す図である。
【図２】本発明の実施例１における複数の無線処理部５ａ等と無線処理部５ａ等を制御する無線信号制御部３０とを光多重伝送部２０により接続した無線機１における光多重伝送路の割当制御方法の流れを示すフローチャートである。
【図３】本発明の無線機１を搭載した自動車４０を示す図である。
【符号の説明】
【００３５】
１  無線機、  ５ａ、５ｂ、５ｎ  無線処理部、  １０ａ、１０ｂ、１０ｎ  チューナブルアンテナ、  １２ａ、１２ｂ、１２ｎ  無線フロントエンド部、  １４ａ、１４ｂ、１４ｎ  ＡＤＣ、  ２０  光多重伝送部、  ２２  光多重化部、  ２４  光多重伝送路、  ２６  光多重化部、  ３０  無線信号制御部、  ３２  分離部、  ３４ａ、３４ｂ、３４ｍ  復調器、  ３６  制御部、  ４０  自動車。
【図１】
2008252489.tif 000003
【図２】
2008252489.tif 000004
【図３】
2008252489.tif 000005